(57)【要約】【課題】  優れた施工性によって施工期間を短縮するとともに施工コストを抑制でき、水中構造物を簡単に補修することができる補修用型枠パネル、補修用型枠システムおよびこれを用いた水中構造物補修工法を提供する。【解決手段】  水中構造物を補修するための補修用型枠パネル３Ａであって、水中構造物１０の補修面１０ａから所定の間隔を隔てて配置される堰板３１と、堰板３１の左右両端縁から水中構造物１０の補修面１０ａとの間隔に合わせて突設されている一対の側板３２，３２と、堰板３１の裏面に取り付けられているとともに、水中構造物１０の補修面１０ａに沿って略鉛直方向に取り付けられたガイド部材２に対してスライド自在に案内される被ガイド部材３３と、を有する。【選択図】  図１
2018111964.tif 000002
【特許請求の範囲】
【請求項１】
水中構造物を補修するための補修用型枠パネルであって、
前記水中構造物の補修面から所定の間隔を隔てて配置される堰板と、
前記堰板の左右両端縁から前記水中構造物の補修面との間隔に合わせて突設されている一対の側板と、
前記堰板の裏面に取り付けられているとともに、前記水中構造物の補修面に沿って略鉛直方向に取り付けられたガイド部材に対してスライド自在に案内される被ガイド部材と、
を有する、前記補修用型枠パネル。
【請求項２】
前記堰板の下端縁から前記水中構造物の補修面との間隔に合わせて突設されているとともに、前記被ガイド部材の下端部近傍に前記ガイド部材を挿通させる挿通凹部を備えた底板を有する、請求項１に記載の補修用型枠パネル。
【請求項３】
前記側板の先端縁における内側には、当該先端縁と前記水中構造物の補修面との間のクリアランスを被覆することにより前記補修用型枠パネルと前記水中構造物の補修面との間に充填される水中コンクリートの漏洩を防止する漏洩防止部材が設けられており、前記堰板の下端縁から前記水中構造物の補修面に向けて突設されている底板を有する場合には、当該底板の先端縁の内側にも前記漏洩防止部材が設けられている、請求項１または請求項２に記載の補修用型枠パネル。
【請求項４】
請求項１または請求項１に従属する請求項３に記載の補修用型枠パネルと、前記ガイド部材とを有する、補修用型枠システム。
【請求項５】
請求項２または請求項２に従属する請求項３に記載の補修用型枠パネルと、前記ガイド部材と、前記ガイド部材の下端部に取り付けられ、前記挿通凹部を閉塞しうる形状に形成された閉塞面を前記底板に当接させつつ、前記補修用型枠パネルを所定の高さ位置で支持するパネル支持部材とを有する、補修用型枠システム。
【請求項６】
前記ガイド部材には、水中コンクリートを通過させる複数の貫通孔が長手方向に沿って形成されている、請求項４または請求項５に記載の補修用型枠システム。
【請求項７】
請求項４または請求項４に従属する請求項６に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。
【請求項８】
請求項５または請求項５に従属する請求項６に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記水中構造物の補修面に対して、前記パネル支持部材を前記ガイド部材の下端部に取り付けるパネル支持部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。
【発明の詳細な説明】
【技術分野】
【０００１】
本発明は、海や河川等の水中に設置される防波堤や橋脚等の水中構造物を補修するための補修用型枠パネル、補修用型枠システムおよびこれを用いた水中構造物補修工法に関するものである。
【背景技術】
【０００２】
従来、海や河川等の水中に設置される防波堤や橋脚等の水中構造物には、ケーソンや水中コンクリートを用いることが多い。また、広義には当該ケーソンの範疇に属する構造の鋼製函は、鋼板枠を組み合わせて構築された枡状の鋼製型枠の中にプレパックドコンクリートを充填してなる外壁と、前記鋼製型枠の中に水中コンクリートを打設してなる底板とから構成されている。そして、前記鋼製函の中に中詰め砂を充填した後、上部工を打設することで水中構造物が完成するようになっている。
【０００３】
上述した鋼製函に関する技術として、例えば、実開平５−４０３３４号公報には、相対する海側側壁と陸側側壁とを端部壁で一体に結合した鋼製函型主体の下底部より外方に、鋼製フーチングを一体に突設した鋼殻ケーソンが開示されている（特許文献１）。
【先行技術文献】
【特許文献】
【０００４】
【特許文献１】実開平５−４０３３４号公報
【発明の概要】
【発明が解決しようとする課題】
【０００５】
しかしながら、上述した鋼製函をはじめとする多くの水中構造物は、近年、耐用年数を迎えて損傷が顕著になってきている。特に、水面が上下する部分では、鋼製板が腐食して剥がれ落ち、内部のコンクリートが露出して凹んでいる箇所もあるため、その表面の補修が必要となる。ただし、鋼製函内には多数のブレースが張り巡らされているため、内部の中詰め砂を撤去することは極めて困難である。このため、補修工法としては、中詰め砂を撤去することなく水中構造物の表面となる外壁を補修することが基本となる。
【０００６】
一般的な補修工法としては、鋼製型枠の組立工程、水中コンクリートの打設工程・養生工程、および鋼製型枠の脱型工程を繰り返し、補修面から約１．５ｍ程度拡幅する工法が主流である。しかしながら、当該工法は、打設した水中コンクリートと水中構造物とを一体化するために、補修面全体に渡って多数の鉄筋（いわゆる差筋）を均一に差し込む必要がある。また、上述した組立工程、養生工程および脱型工程にも多くの時間を必要とするため、施工期間が長期化するという問題がある。
【０００７】
また、上記工法は、補修面の拡幅スペースを確保するために、港内側の基礎マウンドを拡幅しなければならず、工期がかかる上、いわゆる床掘り費用や、根固ブロックおよび被覆ブロックの撤去・復旧費用が膨大にかかるという問題もある。さらに、上記工法では、補修面の強度が足りない箇所や、凹みや穴がある箇所では、鉄筋を均一に差し込むことができず、簡単に補修することができないという問題もある。
【０００８】
本発明は、このような問題点を解決するためになされたものであって、優れた施工性によって施工期間を短縮するとともに施工コストを抑制でき、水中構造物を簡単に補修することができる補修用型枠パネル、補修用型枠システムおよびこれを用いた水中構造物補修工法を提供することを目的としている。
【課題を解決するための手段】
【０００９】
本発明に係る補修用型枠パネルは、優れた施工性によって施工期間を短縮するとともに施工コストを抑制でき、水中構造物を簡単に補修するという課題を解決するために、水中構造物を補修するための補修用型枠パネルであって、前記水中構造物の補修面から所定の間隔を隔てて配置される堰板と、前記堰板の左右両端縁から前記水中構造物の補修面との間隔に合わせて突設されている一対の側板と、前記堰板の裏面に取り付けられているとともに、前記水中構造物の補修面に沿って略鉛直方向に取り付けられたガイド部材に対してスライド自在に案内される被ガイド部材と、を有する。
【００１０】
また、本発明の一態様として、補修用型枠パネルを最下部まで沈下させなくても打設された水中コンクリートを保持するという課題を解決するために、前記堰板の下端縁から前記水中構造物の補修面との間隔に合わせて突設されているとともに、前記被ガイド部材の下端部近傍に前記ガイド部材を挿通させる挿通凹部を備えた底板を有してもよい。
【００１１】
さらに、本発明の一態様として、補修用型枠パネルと水中構造物の補修面との隙間から水中コンクリートが漏洩するのを防止するという課題を解決するために、前記側板の先端縁における内側には、当該先端縁と前記水中構造物の補修面との間のクリアランスを被覆することにより前記補修用型枠パネルと前記水中構造物の補修面との間に充填される水中コンクリートの漏洩を防止する漏洩防止部材が設けられており、前記堰板の下端縁から前記水中構造物の補修面に向けて突設されている底板を有する場合には、当該底板の先端縁の内側にも前記漏洩防止部材が設けられていてもよい。
【００１２】
また、本発明に係る補修用型枠システムは、優れた施工性によって施工期間を短縮するとともに施工コストを抑制でき、水中構造物を簡単に補修するという課題を解決するために、上述したいずれかの態様の補修用型枠パネルと、前記ガイド部材とを有する。
【００１３】
さらに、本発明に係る補修用型枠システムは、下方が劣化していない水中構造物に対しては、必要な部分のみを補修して施工コストを低減するという課題を解決するために、上述のいずれかの態様の補修用型枠パネルと、前記ガイド部材と、前記ガイド部材の下端部に取り付けられ、前記挿通凹部を閉塞しうる形状に形成された閉塞面を前記底板に当接させつつ、前記補修用型枠パネルを所定の高さ位置で支持するパネル支持部材とを有する。
【００１４】
また、本発明に係る補修用型枠システムは、水中コンクリートを均一に充填する作業を簡略化するという課題を解決するために、前記ガイド部材には、水中コンクリートを通過させる複数の貫通孔が長手方向に沿って形成されている。
【００１５】
本発明に係る水中構造物補修工法は、優れた施工性によって施工期間を短縮するとともに施工コストを抑制でき、水中構造物を簡単に補修するという課題を解決するために、上述のいずれかの態様の補修用型枠システムを用いて、水中構造物を補修する水中構造物補修工法であって、前記水中構造物の補修面に沿って略鉛直方向に前記ガイド部材を取り付けるガイド部材取付工程と、前記被ガイド部材を前記ガイド部材に沿って案内させながら前記補修用型枠パネルを沈下させる補修用型枠パネル沈下工程と、前記補修用型枠パネルと前記水中構造物の補修面との間に水中コンクリートを充填する水中コンクリート充填工程と、を有する。
【００１６】
本発明に係る水中構造物補修工法は、下方が劣化していない水中構造物に対しては、必要な部分のみを補修して施工コストを低減するという課題を解決するために、上述のいずれかの態様の補修用型枠システムを用いて、水中構造物を補修する水中構造物補修工法であって、前記水中構造物の補修面に沿って略鉛直方向に前記ガイド部材を取り付けるガイド部材取付工程と、前記水中構造物の補修面に対して、前記パネル支持部材を前記ガイド部材の下端部に取り付けるパネル支持部材取付工程と、前記被ガイド部材を前記ガイド部材に沿って案内させながら前記補修用型枠パネルを沈下させる補修用型枠パネル沈下工程と、前記補修用型枠パネルと前記水中構造物の補修面との間に水中コンクリートを充填する水中コンクリート充填工程と、を有する。
【発明の効果】
【００１７】
本発明によれば、優れた施工性によって施工期間を短縮するとともに施工コストを抑制でき、水中構造物を簡単に補修することができる。
【図面の簡単な説明】
【００１８】
【図１】本発明に係る補修用型枠パネルおよび補修用型枠システムの第１実施形態を示す一部断面斜視図である。
【図２】本第１実施形態の補修用型枠パネルおよび補修用型枠システムによって補修された水中構造物を示す全体図である。
【図３】本第１実施形態における補修用型枠システムの平面図である。
【図４】図３における（ａ）４Ａ−４Ａ線断面図、および（ｂ）４Ｂ−４Ｂ線正面図である。
【図５】図３における（ａ）５Ａ−５Ａ線断面図、および（ｂ）５Ｂ−５Ｂ線端面図である。
【図６】本第１実施形態における補修用型枠パネルの斜視図である。
【図７】図３における領域７Ａの拡大図である。
【図８】本第１実施形態の水中構造物補修工法を示すフローチャートである。
【図９】本発明に係る補修用型枠パネルおよび補修用型枠システムの第２実施形態によって補修された水中構造物を示す全体図である。
【図１０】本第２実施形態における補修用型枠システムの平面図である。
【図１１】本第２実施形態における補修用型枠パネルの斜視図である。
【図１２】図１０における（ａ）１２Ａ−１２Ａ線断面図、および（ｂ）１２Ｂ−１２Ｂ線断面図である。
【図１３】図１０における（ａ）１３Ａ−１３Ａ線断面図、および（ｂ）１３Ｂ−１３Ｂ線端面図である。
【図１４】本第２実施形態におけるパネル支持部材の（ａ）平面図、（ｂ）側面図および（ｃ）正面図である。
【図１５】本第２実施形態の水中構造物補修工法を示すフローチャートである。
【発明を実施するための形態】
【００１９】
以下、本発明に係る補修用型枠パネル、補修用型枠システムおよびこれを用いた水中構造物補修工法の第１実施形態について、図面を用いて説明する。
【００２０】
本第１実施形態において、補修用型枠システム１Ａは、水中構造物を補修するためのものであって、図１に示すように、水中構造物１０の補修面１０ａに取り付けられたガイド部材２と、このガイド部材２に装着される補修用型枠パネル３Ａとによって構成されている。以下、各構成について説明する。
【００２１】
なお、本発明において、水中構造物１０とは、港湾、海岸、海洋または河川等のような水中に設置された全ての構造物を含む概念である。また、本第１実施形態において、水中構造物１０は、図２に示すように、上述の鋼製函を用いて構築された防波堤で構成されており、補修用型枠システム１Ａは、当該防波堤の港外側および港内側の双方に設置されている。
【００２２】
ガイド部材２は、水中構造物１０の補修面１０ａに対して、補修用型枠パネル３Ａを設置させるためのものである。本第１実施形態において、ガイド部材２は、図１および図３に示すように、横断面が略Ｈ形状に形成されたＨ形鋼によって構成されており、図１および図２に示すように、水中構造物１０の補修面１０ａに沿って略鉛直方向に取り付けられている。なお、本発明において、略鉛直方向とは、厳密な鉛直方向に限定されるものではなく、本発明の作用効果を奏しうる範囲で鉛直方向に対してわずかに傾斜した方向も含むものである。
【００２３】
また、本第１実施形態において、ガイド部材２は、図４（ａ），（ｂ）に示すように、後述する補修用型枠パネル３Ａの被ガイド部材３３と対応する位置に取り付けられ、当該被ガイド部材３３を鉛直方向にスライド自在に案内するようになっている。なお、ガイド部材２は、例えば、補修面１０ａの健全な部分に対応する位置に挿通孔を形成しておき、樹脂製のアンカーボルト等を打ち込むことで取り付け可能である。本実施形態では、図４（ａ）に示すように、上端部近傍に２つ、中央部近傍に８つおよび下端部近傍に４つのアンカーボルト２１を用いているが、取り付け方法は上記の構成に限られるものではなく適宜選択することが可能である。したがって、上部工および鋼製板の底部が所定の強度であれば、補修面１０ａの強度が足りない場合や、凹みや穴等がある場合でも、簡単にガイド部材２を取り付けることが可能となる。
【００２４】
さらに、本第１実施形態において、ガイド部材２には、図５（ａ）に示すように、長手方向に沿って複数の貫通孔２２が形成されている。これにより、補修用型枠パネル３Ａと水中構造物１０の補修面１０ａとの間に充填される水中コンクリートが、各貫通孔２２を通過して流動し、補修用型枠パネル３Ａ内に均一に行き渡ることとなる。なお、ガイド部材２のみならず、被ガイド部材３３にも同様の貫通孔を設けてもよい。
【００２５】
補修用型枠パネル３Ａは、水中構造物１０の補修面１０ａに設置されて型枠として機能するとともに、そのまま水中構造物１０の外壁として機能するものである。本第１実施形態において、補修用型枠パネル３Ａは、パネル状の鉄筋コンクリートによって構成されており、図６に示すように、打設した水中コンクリートを堰き止める堰板３１と、堰板３１の左右両端縁から突設される一対の側板３２，３２と、堰板３１の裏面に取り付けられる被ガイド部材３３とによって構成されている。以下、各構成部について詳細に説明する。
【００２６】
なお、本第１実施形態において、補修用型枠パネル３Ａは、図６に示すように、上下方向に３分割、左右方向に２分割されているが、この構成に限定されるものではない。すなわち、コンパクトなものであれば分割せずに単体で構成されていてもよい。一方、より広範囲を補修するための補修用型枠パネル３Ａについては、より多数に分割されていてもよい。
【００２７】
また、本第１実施形態では、図５（ｂ）に示すように、上下方向に連通させた連通穴３４に通しボルト３５を挿通し、ナットで固定することによって補修用型枠パネル３Ａを一体的に連結しているが、この構成に限定されるものではなく、他の連結方法も適宜選択しうる。なお、通しボルト３５の上部は、補修用型枠パネル３Ａが設置された後に、切断されるようになっている。
【００２８】
堰板３１は、平板状の鉄筋コンクリートによって構成されており、水中構造物１０の補修面１０ａから所定の間隔を隔てて配置されるものである。また、堰板３１の裏面には、図４（ｂ），図５（ａ）および図６に示すように、補修面１０ａに取り付けられたガイド部材２と対応する位置に被ガイド部材３３が取り付けられている。
【００２９】
側板３２は、堰板３１の左右両端縁から一対で突出されて、水中コンクリートを充填する空間を形成するものである。各側板３２は、堰板３１の裏面と水中構造物１０の補修面１０ａとの間隔に合わせてほぼ同じ寸法で突設されている。ただし、本第１実施形態では、図７に示すように、側板３２の先端縁と水中構造物１０の補修面１０ａとの間には、補修用型枠パネル３Ａをスムーズにスライドさせるためのクリアランスが設けられている。このため、各側板３２の突出寸法は、適度なクリアランスを確保するように設定されている。
【００３０】
また、本第１実施形態において、各側板３２の先端縁における内側には、図７に示すように、前記クリアランスを塞ぐための漏洩防止部材３６が設けられている。この漏洩防止部材３６は、前記クリアランスよりも幅広で、側板３２の上下長さと略同一寸法のゴム板によって構成されている。そして、各側板３２の上下方向に沿って一端縁部が各側板３２の先端縁よりも突出した状態で、他端縁部がボルトで固定される。これにより、図７に示すように、漏洩防止部材３６は、補修面１０ａに当接して湾曲し前記クリアランスを被覆するため、補修用型枠パネル３Ａと水中構造物１０の補修面１０ａとの間に充填される水中コンクリートの漏洩を防止することとなる。
【００３１】
被ガイド部材３３は、ガイド部材２に対してスライド自在に案内され、補修用型枠パネル３Ａを所望の位置に沈下させるものである。本第１実施形態において、被ガイド部材３３は、図６および図７に示すように、ガイド部材２の形状に応じて、断面略コの字状に形成された１対の金具によって構成されており、開口部が内方に向けられて互いに向かい合うように堰板３１の裏面に取り付けられている。
【００３２】
これにより、ガイド部材２の上端部に対して、被ガイド部材３３の下端部を差し込むと、図７に示すように、被ガイド部材３３がガイド部材２に引っ掛かって水平方向の移動が規制され、鉛直方向にのみ移動可能となる。したがって、被ガイド部材３３は、ガイド部材２に対してスライド自在に案内されながら補修用型枠パネル３Ａを沈下させ、補修面１０ａから所定の間隔を隔てて配置するようになっている。
【００３３】
なお、被ガイド部材３３の構成は、上記に限定されるものではなく、ガイド部材２に引っ掛かってスライド自在に案内される構成であればよい。例えば、本第１実施形態では、一対のコの字状金具によって構成しているが、コの字状金具の各開口端部に、内側に屈曲された鉤状部を設けてなる一つの部材として構成してもよい。また、本第１実施形態において、被ガイド部材３３は、堰板３１の裏面に埋め込んだインサートにボルトで固定しているが、この構成に限定されるものではなく、他の固定方法を適宜選択してもよい。
【００３４】
つぎに、以上の構成を備えた本第１実施形態の補修用型枠パネル３Ａ、補修用型枠システム１Ａおよびこれを用いた水中構造物補修工法による作用について、図８を参照しつつ説明する。
【００３５】
本第１実施形態では、準備段階として、まず、補修用型枠パネル３Ａを準備する（ステップＳ１１）。具体的には、上下方向に分割された補修用型枠パネル３Ａを連結して一体化し、その裏面に被ガイド部材３３を固定する。これにより、補修用型枠パネル３Ａは、施工現場まではコンパクトな状態で運搬しやすく、施工現場では簡単かつ迅速に組み立てられる。なお、補修用型枠パネル３Ａが分割されていない場合、上記連結作業は不要であり、被ガイド部材３３も予め取り付けておけば、本準備段階は不要となる。
【００３６】
つぎに、水中構造物１０の補修面１０ａに沿って略鉛直方向にガイド部材２を取り付ける（ガイド部材取付工程：ステップＳ１２）。このとき、ガイド部材２は、少なくとも上端部および下端部を固定すれば取り付けられるため、補修面１０ａの強度が足りない箇所や、凹みや穴等がある箇所があっても架け渡され、いかなる水中構造物１０に対しても十分な強度で簡単に取り付けられる。なお、ガイド部材２を取り付ける補修面１０ａにおいては、劣化したコンクリートの除去、劣化した鋼製板の補修、およびウォータージェット等による付着生物の除去等をすることが好ましい。
【００３７】
つぎに、クレーン車等を用いて補修用型枠パネル３Ａを吊り上げた後、被ガイド部材３３をガイド部材２に沿って案内させながら補修用型枠パネル３Ａを沈下させる（補修用型枠パネル沈下工程：ステップＳ１３）。これにより、ガイド部材２が、補修用型枠パネル３Ａと補修面１０ａとの間隔を一定に保ちながら被ガイド部材３３を鉛直下方へ案内し、補修用型枠パネル３Ａを補修面１０ａに対して簡便かつ強固に設置する。また、補修用型枠パネル３Ａは、図１および図５に示すように、下端部が海底（根固ブロック）に到達すると停止し設置が完了する。これにより、補修用型枠パネル３Ａの堰板３１および一対の側板３２，３２が、補修面１０ａおよび海底と相俟って水中コンクリートを充填するための内部空間を形成する。
【００３８】
最後に、補修用型枠パネル３Ａと水中構造物１０との間に水中コンクリートを充填する（水中コンクリート充填工程：ステップＳ１４）。このとき、漏洩防止部材３６が、補修面１０ａと各側板３２の先端縁との間から水中コンクリートが漏洩するのを防止する。また、ガイド部材２に形成された貫通孔２２が、水中コンクリートを自由に流通させるため、一箇所から水中コンクリートを注入してもガイド部材２で仕切られた前記内部空間内全体に均一に充填させる。なお、水中コンクリートを打設する前に、海底には別途、水中コンクリートの漏洩を防止する防水性の布を敷いておくことが好ましい。
【００３９】
水中コンクリートの養生が完了すると、図２に示すように、補修用型枠パネル３Ａが水中構造物１０の補修面１０ａを被覆した状態で一体化され、新たな外壁面として機能する。なお、補修面１０ａから新たな外壁面までの補修幅は約６０〜７０ｃｍ程度に過ぎず、在来工法の半分以下の拡幅幅で補修が完了する。
【００４０】
以上のような本第１実施形態の補修用型枠パネル３Ａ、補修用型枠システム１Ａおよび水中構造物補修工法によれば、以下のような効果を奏する。
１．水中構造物１０の補修面１０ａに差筋等を挿入する必要がなく、基礎マウンドの拡幅工事も不要のため、施工性に優れており、施工期間を短縮できるとともに施工コストを抑制することができる。
２．強度の足りない箇所や、凹みや穴がある補修面１０ａに対しても、健全な箇所を狙ってガイド部材２を確実に取り付けることができ、水中構造物１０を簡単に補修することができる。
３．剛性の高いＨ形鋼をガイド部材２とし、水中コンクリート内に一体化するため、打設後の収縮応力等に対する耐久性や、弱点となり易い補修面１０ａと水中コンクリートとの接合箇所における耐久性を向上することができる。
４．鉄筋コンクリートを補修用型枠パネル３Ａとして採用することで、製作コストを削減でき、鋼製板と比較して外壁面としての美観を向上することができる。
５．補修用型枠パネル３Ａは工場や現場等の陸上で製作されるため、均一な品質を確保することができる。
６．被ガイド部材３３をガイド部材２に沿って案内させながら沈下するだけで補修用型枠パネル３Ａが所定の位置に設置され、脱型作業も不要であるため、簡単かつ迅速に施工することができる。
７．補修用型枠パネル３Ａは薄くて十分な耐久性を有しているため、基礎マウンドを拡幅する必要がなく、水中コンクリートの充填量を削減でき、補修によって狭まる水面を最小限に抑制することができる。
８．漏洩防止板によって、水中コンクリートの水中への漏出を防止することができる。
９．ガイド部材２に形成された貫通孔２２が、打設された水中コンクリートを自由に通過させ、全体的に均一に充填することができる。
【００４１】
つぎに、本発明に係る補修用型枠パネル３Ｂ、補修用型枠システム１Ｂおよびこれを用いた水中構造物補修工法の第２実施形態について説明する。なお、第２実施形態の構成のうち、上述した第１実施形態と同一もしくは相当する構成については同一の符号を付し、再度の説明を省略する。
【００４２】
本第２実施形態の補修用型枠システム１Ｂは、水中構造物１０の必要な部分だけを選択的に補修するためのものであり、図９および図１０に示すように、本第２実施形態の補修用型枠パネル３Ｂと、ガイド部材２と、補修用型枠パネル３Ｂを所定の高さ位置で支持するためのパネル支持部材４とによって構成されている。
【００４３】
なお、水中構造物１０の外壁面は、潮間帯付近のような水面が上下する部分で劣化が進行しやすく、その水面下の下方部分では健全な状態が保たれている場合が多い。このため、本第２実施形態の補修用型枠パネル３Ｂ、補修用型枠システム１Ｂおよびこれを用いた水中構造物補修工法は、そのような場合に、特に好適なものとして構成されている。以下、各構成部について、本第１実施形態と相違する点を中心に説明する。
【００４４】
本第２実施形態の補修用型枠パネル３Ｂの特徴は、図１１に示すように、堰板３１の下端縁から水中構造物１０の補修面１０ａとの間隔に合わせて突設されているとともに、被ガイド部材３３の下端部近傍にガイド部材２を挿通させる挿通凹部３８を備えた底板３７を有する点にある。この底板３７は、一対の側板３２，３２と同じ寸法で突出されており、当該突出寸法は、底板３７の先端縁と水中構造物１０の補修面１０ａとの間のクリアランスを確保するように設定されている。
【００４５】
また、本第２実施形態において、挿通凹部３８は、図１１および図１２（ｂ）に示すように、被ガイド部材３３の下端部に対応する位置を切り欠くように形成されている。これにより、被ガイド部材３３の下端部からガイド部材２を挿入可能になっている。
【００４６】
また、本第２実施形態において、底板３７の先端縁の内側には、図１３（ｂ）に示すように、側板３２の先端縁における内側と同様、補修面１０ａと底板３７との間のクリアランスを被覆して水中コンクリートが漏洩するのを防止する漏洩防止部材３６が設けられている。
【００４７】
さらに、本第２実施形態において、パネル支持部材４は、補修用型枠パネル３Ｂを所定の高さ位置で支持するためのものであり、図１２（ａ）および図１３（ａ）に示すように、水中構造物１０の補修面１０ａに対してガイド部材２の下端部に取り付けられている。また、パネル支持部材４は、図１４に示すように、挿通凹部３８を閉塞しうる形状に形成された閉塞面４１と、これを支持して固定する支持固定部４２とを有している。これにより、閉塞面４１が補修用型枠パネル３Ｂの底板３７に当接して支持するとともに、挿通凹部３８から水中コンクリートが流出するのを防止するようになっている。
【００４８】
つぎに、以上の構成を備えた本第２実施形態の補修用型枠パネル３Ｂ、補修用型枠システム１Ｂおよび水中構造物補修工法による作用について、図１５を参照しつつ説明する。
【００４９】
まず、第１実施形態と同様、補修用型枠パネル３Ｂを準備した後（ステップＳ１１）、水中構造物１０の補修面１０ａに沿って略鉛直方向にガイド部材２を取り付ける（ガイド部材取付工程：ステップＳ１２）。つぎに、本第２実施形態では、水中構造物１０の補修面１０ａに対して、パネル支持部材４をガイド部材２の下端部に取り付ける（パネル支持部材取付工程：ステップＳ２１）。このとき、図１２（ａ）および図１３（ａ）に示すように、パネル支持部材４をガイド部材２と接触しないように隙間を空けて取り付けることにより腐食しやすいパネル支持部材４から、ガイド部材２に腐食が転移することが防止される。
【００５０】
つづいて、被ガイド部材３３をガイド部材２に沿って案内させながら補修用型枠パネル３Ｂを沈下させる（補修用型枠パネル沈下工程：ステップＳ１３）。これにより、パネル支持部材４は、底板３７の下面が閉塞面４１に当接した時点で補修用型枠パネル３Ｂを停止させ、所定の高さ位置で支持する。このため、補修用型枠パネル３Ｂの堰板３１、一対の側板３２，３２および底板３７が、補修面１０ａと相俟って水中コンクリートを充填するための内部空間を形成する。
【００５１】
最後に、補修用型枠パネル３Ｂと水中構造物１０との間に水中コンクリートを充填する（水中コンクリート充填工程：ステップＳ１４）。このとき、補修用型枠パネル３Ｂは底板３７を有しているため、最下部まで沈下させなくても打設された水中コンクリートを保持する。また、補修が必要な部分のみを被覆するため、健全な部分まで被覆する場合と比較して、水中コンクリートの量が少なくて済み、施工コストが低減する。また、本第２実施形態では、各漏洩防止部材３６が、各側板３２および底板３７と補修面１０ａとの間から水中コンクリートが漏洩するのを防止する。
【００５２】
以上のような本第２実施形態によれば、パネル支持部材４によって補修用型枠パネル３Ｂが水中構造物１０に対して所定の高さ位置に支持され、上述した第１実施形態と同様の作用を奏する。また、本第２実施形態によれば、上述した第１実施形態の効果に加えて、水中構造物１０における必要な部分だけをピンポイントで補修することができるため、施工コストのさらなる削減とともに、施工期間のさらなる短縮を実現することができるという効果を奏する。
【００５３】
なお、本発明に係る補修用型枠パネル、補修用型枠システムおよびこれを用いた水中構造物補修工法は、上述した各実施形態に限定されるものではなく、適宜変更することができる。例えば、上述した各実施形態では、補修用型枠パネル３Ａ，３Ｂの側板３２が、左右両端縁から一対で突設されているが、この構成に限定されるものではなく、左右どちらかにのみ側板３２を有していてもよい。これにより、補修用型枠パネル３Ａ，３Ｂを左右方向に連続して複数枚設置する場合には、側板３２のない端部を隣接する補修用型枠パネル３Ａ，３Ｂの側板３２に当接させることで共有できるため、補修用型枠パネル３Ａ，３Ｂのコンパクト化および低コスト化が可能となる。
【００５４】
また、上述した各実施形態において、ガイド部材２は、Ｈ形鋼によって構成されているが、この構成に限られるものではなく、補修面１０ａに取り付け可能な部位と、被ガイド部材３３をガイド可能な部位とを有する構造であればよい。さらに、被ガイド部材３３は、断面略コ字状に屈曲された１対の金具によって構成されているが、この構成に限られるものではなく、ガイド部材２の形状等に応じて適宜変更しうる。
【００５５】
さらに、上述した各実施形態では、補修用型枠パネル３Ａ，３Ｂは、連結した後に被ガイド部材３３を取り付けているが、この方法に限定されるものではなく、分割された各補修用型枠パネル３Ａ，３Ｂの高さと同じ長さを有する被ガイド部材３３を予め取り付けられておいてもよい。これにより、補修用型枠パネル３Ａ，３Ｂを連結するだけで、補修用型枠パネル３Ａ，３Ｂが完成する。
【００５６】
また、上述した各実施形態において、ガイド部材２は、２本を１セットで使用することが多いため、当該ガイド部材２同士を２〜３本の紐等によって予め結んでおいてもよい。これにより、現場での確認作業が簡略化するとともに、補修面１０ａに取り付ける際にも互いに略平行状態を維持することが可能となる。
【００５７】
また、上述した第２実施形態では、補修用型枠パネル３Ｂの底板３７が、パネル支持部材４によって支持されているが、補修用型枠パネル３Ｂを所定の高さ位置で支持可能な構成であれば、この構成に限られるものではない。例えば、パネル支持部材４は、被ガイド部材３３の上端部を閉塞する部材として構成されていてもよい。これにより、被ガイド部材３３をガイド部材２に沿って沈下させると、パネル支持部材４がガイド部材２の上端部に当接して補修用型枠パネル３Ｂを所定の高さ位置で支持することが可能となる。この場合、パネル支持部材４には、水中コンクリートが充填される際に補修用型枠パネル３Ｂ内の空気を抜くための空気孔を設けることが好ましい。
【符号の説明】
【００５８】
１Ａ，１Ｂ  補修用型枠システム
２  ガイド部材
３Ａ，３Ｂ  補修用型枠パネル
４  パネル支持部材
１０  水中構造物
１０ａ  補修面
２１  アンカーボルト
２２  貫通孔
３１  堰板
３２  側板
３３  被ガイド部材
３４  連通穴
３５  通しボルト
３６  漏洩防止部材
３７  底板
３８  挿通凹部
４１  閉塞面
４２  支持固定部
【図１】
2018111964.tif 000003
【図２】
2018111964.tif 000004
【図３】
2018111964.tif 000005
【図４】
2018111964.tif 000006
【図５】
2018111964.tif 000007
【図６】
2018111964.tif 000008
【図７】
2018111964.tif 000009
【図８】
2018111964.tif 000010
【図９】
2018111964.tif 000011
【図１０】
2018111964.tif 000012
【図１１】
2018111964.tif 000013
【図１２】
2018111964.tif 000014
【図１３】
2018111964.tif 000015
【図１４】
2018111964.tif 000016
【図１５】
2018111964.tif 000017
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
水中構造物を補修するための補修用型枠パネルであって、
前記水中構造物の補修面から所定の間隔を隔てて配置される堰板と、
前記堰板の左右両端縁から前記水中構造物の補修面との間隔に合わせて突設されている一対の側板と、
前記堰板の裏面に取り付けられているとともに、前記水中構造物の補修面に沿って略鉛直方向に取り付けられた金属製のガイド部材に対してスライド自在に案内される金属製の被ガイド部材と、
を有する、前記補修用型枠パネル。
【請求項２】
前記堰板の下端縁から前記水中構造物の補修面との間隔に合わせて突設されているとともに、前記被ガイド部材の下端部近傍に前記ガイド部材を挿通させる挿通凹部を備えた底板を有する、請求項１に記載の補修用型枠パネル。
【請求項３】
前記側板の先端縁における内側には、当該先端縁と前記水中構造物の補修面との間のクリアランスを被覆することにより前記補修用型枠パネルと前記水中構造物の補修面との間に充填される水中コンクリートの漏洩を防止する漏洩防止部材が設けられており、
前記漏洩防止部材は、前記クリアランスよりも幅広で、前記側板の上下長さと略同一寸法のゴム板によって構成されているとともに、各側板の上下方向に沿って一端縁部が各側板の先端縁よりも突出した状態で、他端縁部がボルトで固定されており、
前記堰板の下端縁から前記水中構造物の補修面に向けて突設されている底板を有する場合には、当該底板の先端縁の内側にも前記漏洩防止部材が設けられている、請求項１または請求項２に記載の補修用型枠パネル。
【請求項４】
請求項１または請求項１に従属する請求項３に記載の補修用型枠パネルと、前記ガイド部材とを有する、補修用型枠システム。
【請求項５】
請求項２または請求項２に従属する請求項３に記載の補修用型枠パネルと、前記ガイド部材と、前記ガイド部材の下端部に取り付けられ、前記挿通凹部を閉塞しうる形状に形成された閉塞面を前記底板に当接させつつ、前記補修用型枠パネルを所定の高さ位置で支持するパネル支持部材とを有する、補修用型枠システム。
【請求項６】
前記ガイド部材には、水中コンクリートを通過させる複数の貫通孔が長手方向に沿って形成されている、請求項４または請求項５に記載の補修用型枠システム。
【請求項７】
請求項４または請求項４に従属する請求項６に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。
【請求項８】
請求項５または請求項５に従属する請求項６に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記水中構造物の補修面に対して、前記パネル支持部材を前記ガイド部材の下端部に取り付けるパネル支持部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
水中構造物を補修するための補修用型枠パネルであって、
前記水中構造物の補修面から所定の間隔を隔てて配置される堰板と、
前記堰板の左右両端縁から前記水中構造物の補修面との間隔に合わせて突設されている一対の側板と、
前記堰板の裏面に取り付けられているとともに、前記水中構造物の補修面に沿って略鉛直方向に取り付けられた金属製のガイド部材に対してスライド自在に案内される金属製の被ガイド部材と、を有し、
前記側板の先端縁における内側には、当該先端縁と前記水中構造物の補修面との間のクリアランスを被覆することにより前記補修用型枠パネルと前記水中構造物の補修面との間に充填される水中コンクリートの漏洩を防止する漏洩防止部材が設けられており、
前記漏洩防止部材は、前記クリアランスよりも幅広で、前記側板の上下長さと略同一寸法のゴム板によって構成されているとともに、各側板の上下方向に沿って一端縁部が各側板の先端縁よりも突出した状態で、他端縁部がボルトで固定されており、
前記堰板の下端縁から前記水中構造物の補修面に向けて突設されている底板を有する場合には、当該底板の先端縁の内側にも前記漏洩防止部材が設けられている、前記補修用型枠パネル。
【請求項２】
前記堰板の下端縁から前記水中構造物の補修面との間隔に合わせて突設されているとともに、前記被ガイド部材の下端部近傍に前記ガイド部材を挿通させる挿通凹部を備えた底板を有する、請求項１に記載の補修用型枠パネル。
【請求項３】
請求項１に記載の補修用型枠パネルと、前記ガイド部材とを有する、補修用型枠システム。
【請求項４】
請求項２に記載の補修用型枠パネルと、前記ガイド部材と、前記ガイド部材の下端部に取り付けられ、前記挿通凹部を閉塞しうる形状に形成された閉塞面を前記底板に当接させつつ、前記補修用型枠パネルを所定の高さ位置で支持するパネル支持部材とを有する、補修用型枠システム。
【請求項５】
前記ガイド部材には、水中コンクリートを通過させる複数の貫通孔が長手方向に沿って形成されている、請求項３または請求項４に記載の補修用型枠システム。
【請求項６】
請求項３または請求項３に従属する請求項５に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。
【請求項７】
請求項４または請求項４に従属する請求項５に記載の補修用型枠システムを用いて、水中構造物を補修する水中構造物補修工法であって、
前記水中構造物の補修面に沿って略鉛直方向に前記ガイド部材を取り付けるガイド部材取付工程と、
前記水中構造物の補修面に対して、前記パネル支持部材を前記ガイド部材の下端部に取り付けるパネル支持部材取付工程と、
前記被ガイド部材を前記ガイド部材に沿って案内させながら前記補修用型枠パネルを沈下させる補修用型枠パネル沈下工程と、
前記補修用型枠パネルと前記水中構造物の補修面との間に水中コンクリートを充填する水中コンクリート充填工程と、
を有する、水中構造物補修工法。